(57)【要約】【課題】本開示の一局面は、隣接する遊技機の間に配置され、板状の仕切部を引出可能に収納するための間柱において、シートホルダやドリンクホルダ等の被収納部を設けた場合に、被収納部が仕切部の収納空間内に入り込むのを防止できるようにする。【解決手段】間柱は、遊技機の間に配置される本体部と、本体部に収納され、本体部の前面に形成された開口から引き出し可能に取り付けられた板状の仕切部と、本体部に仕切部の板面に対し平行になるよう収納される被収納部と、を備え、本体部には、被収納部が仕切部の収納空間側に変位するのを阻止する位置決め部が設けられている。【選択図】図５
2018068736.tif 000002
【特許請求の範囲】
【請求項１】
隣接する遊技機の間に設置される間柱であって、
前記遊技機の間に配置される本体部と、
前記本体部に収納され、前記本体部の前面に形成された開口から引き出し可能に取り付けられた板状の仕切部と、
前記本体部に、前記仕切部の板面に対し平行になるよう収納される被収納部と、
を備え、
前記本体部には、前記被収納部が前記仕切部の収納空間側に変位するのを阻止する位置決め部が設けられている、間柱。
【請求項２】
前記位置決め部は、前記被収納部が前記仕切部の収納空間側及び前記前面とは反対側に変位するのを阻止するように構成されている、請求項１に記載の間柱。
【請求項３】
前記本体部は、前記仕切部の外周を、上方、下方、及び前記前面とは反対側の後方からそれぞれ囲む枠体を備え、前記位置決め部は、該枠体に設けられている請求項１又は請求項２に記載の間柱。
【請求項４】
前記位置決め部は、前記本体部を構成する枠体の内、前記後方の枠体と一体化されている、請求項３に記載の間柱。
【請求項５】
前記位置決め部は、前記後方の枠体の複数箇所に分散して設けられている、請求項３又は請求項４に記載の間柱。
【請求項６】
前記位置決め部は、前記後方の枠体とは反対側の端縁部分が前記仕切部の収納空間から離れる方向に曲がっており、該端縁部分にて前記仕切部の後方端部を前記収納空間側に案内するよう構成されている、請求項３〜請求項５の何れか１項に記載の間柱。
【発明の詳細な説明】
【技術分野】
【０００１】
本開示は、隣接する遊技機の間に設置される間柱に関する。
【背景技術】
【０００２】
従来、隣接する遊技機の間に配置される間柱には、板状の仕切部が遊技機の手前に引き出し可能に収納され、必要に応じて仕切部を引き出すことで、遊技者間のスペースを仕切れるように構成されたものが知られている（例えば、特許文献１参照）。
【０００３】
また、この種の間柱には、各種案内用のシート状部材を収納するためのシートホルダや、飲み物のカップやボトルを載置するための載置ユニットを引き出し可能に収納するドリンクホルダを収納できるように構成されたものも知られている（例えば、特許文献２参照）。
【先行技術文献】
【特許文献】
【０００４】
【特許文献１】特開２０１２−１１１４０号公報
【特許文献２】特開２０１３−１７６５５４号公報
【発明の概要】
【発明が解決しようとする課題】
【０００５】
ところで、間柱に仕切部と上記ホルダのような被収納部とを設ける場合、特許文献２に記載のように、被収納部は扁平な板状に形成され、仕切部の板面に対し平行に配置されることになる。この場合、被収納部の前面から後方に向かう奥行き方向の長さが長いと、これら各部が収納される間柱の本体部内で、被収納部が仕切部の収納空間内に入り込むことがある。
【０００６】
そして、このように被収納部が仕切部の収納空間内に入り込むと、仕切部を間柱の前面から引き出すときや、その引き出された仕切部を間柱の収納空間に収納する際に、被収納部が邪魔になり、仕切部の引き出し、収納を良好に実施できないという問題が生じる。
【０００７】
本開示の一局面は、隣接する遊技機の間に配置され、板状の仕切部を引出可能に収納するための間柱において、シートホルダやドリンクホルダ等の被収納部を設けた場合に、被収納部が仕切部の収納空間内に入り込むのを防止できるようにすることを目的とする。
【課題を解決するための手段】
【０００８】
本開示の一局面の間柱は、遊技機の間に配置される本体部と、本体部に収納され、本体部の前面に形成された開口から引き出し可能に取り付けられた板状の仕切部と、本体部に、仕切部の板面に対し平行になるよう収納される被収納部とを備える。
【０００９】
そして、本体部には、被収納部が仕切部の収納空間側に変位するのを阻止する位置決め部が設けられている。
このため、本開示の間柱においては、間柱の本体部内に仕切部と被収納部とを収納しても、被収納部が仕切部の収納空間内に入り込むことがなく、仕切部を間柱の前面から引き出すときや、仕切部を間柱の収納空間に収納する際に、被収納部が邪魔になることはない。よって、本開示の間柱によれば、仕切部の引き出し、収納を良好に実施することができる。
【００１０】
ここで、位置決め部は、被収納部が仕切部の収納空間側に変位するのを阻止するだけでなく、被収納部が前面とは反対側の後方に変位するのを阻止するように構成されていてもよい。
【００１１】
このようにすれば、本体部に対し被収納部をよりしっかりと位置決めすることができ、例えば、被収納部が所望の部材を挿入可能なホルダである場合には、そのホルダに所望の部材を挿入するときに、ホルダが動いて部材を挿入し難くなるのを防止できる。
【００１２】
次に、本体部は、仕切部の外周を、上方、下方、及び、間柱の前面とは反対側の後方からそれぞれ囲む枠体を備えていてもよい。この場合、位置決め部は、その枠体に設けるようにすれば、位置決め部を間柱の本体部に一体的に組み付けることができるので、遊技機の間に間柱を設置する際の設置作業が簡単になる。
【００１３】
また、この場合、位置決め部は、本体部の構成する枠体の内、後方の枠体と一体化されていてもよい。このようにすれば、位置決め部を本体部とは別体で構成する必要がないので、位置決め部の組み付け作業が不要となり、しかも、位置決め部は本体部に対し変位することがないので、被収納部を所望位置にしっかりと位置決めすることができるようになる。
【００１４】
また、位置決め部は、例えば枠体の上方から下方に亘って連続するように配置してもよいが、本体部の後方の枠体の複数箇所に分散して設けられていてもよい。
また、位置決め部は、後方の枠体とは反対側の端縁部分が、仕切部の収納空間から離れる方向に曲がっていてもよい。このようにすれば、仕切部を本体部内に収納する際、位置決め部の端縁部分にて、仕切部の後方端部を収納空間側に案内することができようになり、収納時の作業性を向上できる。
【図面の簡単な説明】
【００１５】
【図１】実施形態の間柱の斜視図であり、図１Ａは仕切部の収容状態を表し、図１Ｂは仕切部の引出状態を表す。
【図２】実施形態の間柱の側面図であり、図２Ａは仕切部の収容状態を表し、図２Ｂは仕切部の引出状態を表す。
【図３】実施形態の間柱の構成を表す分解斜視図である。
【図４】実施形態の本体部を斜め後方から見た状態を表す斜視図であり、図４Ａは本体部全体を表し、図４Ｂは図４Ａに示すＡ領域を拡大した状態を表す。
【図５】実施形態の本体部を斜め前方から見た状態を表す斜視図であり、図５Ａは本体部全体を表し、図５Ｂは図５Ａに示すＢ領域を拡大した状態を表す。
【図６】本体部に設けられる位置決め部の変形例を表す斜視図である。
【発明を実施するための形態】
【００１６】
以下に本発明の実施形態を図面と共に説明する。
間柱１は、隣接する遊技機の間に設置されるものであり、図１、図２に示すように、本体部１０、仕切部２０、前面パネル３０などを備えている。
【００１７】
本体部１０は、上下方向に延びる収容空間を有しており、前方の開口から板状の仕切部２０を引き出し可能に収容している。
また、本体部１０には、各種案内用のシート状部材を収納するためのシートホルダ４１、飲み物のカップやボトルを載置するための載置ユニットを引き出し可能に収納するドリンクホルダ４３、電子機器を接続するための接続コネクタ４５なども収容されている。なお、シートホルダ４１及びドリンクホルダ４３は、本開示の被収納部に相当するものであり、本体部１０の収納空間に、仕切部２０の板面に対し平行になるように収納される。
【００１８】
仕切部２０は、本体部１０に収容され、本体部１０の前面に形成された開口から引き出し可能に取り付けられた板状の部材であり、本実施形態では、３枚の部材でもって段階的に引出および収容できるように構成されている。
【００１９】
本実施形態における仕切部２０は、第１仕切板２１、第２仕切板２２、第３仕切板２３の３つが重ねて配置されている。図３に示すように、第１仕切板２１は、本体部１０に固定された第１レール５１を介して内外方向にスライドし、第２仕切板２２は、第１仕切板２１に固定された第２レール５２を介して内外方向にスライドし、第３仕切板２３は、第２仕切板２２に固定された第３レール５３を介して内外方向にスライドする。
【００２０】
この結果、仕切部２０が本体部１０から引き出されたときには、第１仕切板２１が本体部１０に最も近く、第３仕切板２３が本体部１０から最も遠くなるよう、第３仕切板２３から順に段階的に引き出されることになる。また、仕切部２０の本体部１０への収納時には、引き出し時とは逆の順序で各仕切板２１〜２３が順に収納されることになる。
【００２１】
なお、仕切部２０の収納状態において、第１仕切板２１と第２仕切板２２は、板面全域が本体部１０内に収納されて、外側端縁が本体部１０の前面と揃うように構成され、第３仕切板２３は、板面の一部領域が本体部１０の前面から外部に突出するように構成されている。そして、第３仕切板２３の突出部分には取っ手２５が設けられており、遊技者等はその取っ手２５を持って、仕切部２０の引出および収容操作を行うことができる。
【００２２】
また、図３に示すように、本体部１０は、収納された仕切部２０の外周を、上方、下方、及び、前面とは反対側の後方からそれぞれ囲む枠体１１，１２，１３と、これら枠体同士を連結する板状の側壁部１４とを備える。なお、側壁部１４には、本体部１０の軽量化のために部分的に穴が空けられている。
【００２３】
これら枠体１１，１２，１３及び側壁部１４は、例えば、金属板をプレス成形することにより、一体的に構成されており、第１レール５１は、上下の枠体１１、１２にそれぞれ設けらている。
【００２４】
なお、上下の枠体１１、１２において、側壁部１４とは反対側の端縁部分は、側壁部１４と対向するように屈曲されており、上下一対の第１レール５１は、その屈曲された端縁部分にそれぞれ固定（ねじ止め）されている。
【００２５】
次に、第１仕切板２１には、本体部１０に固定された上下一対の第１レール５１にそれぞれ摺動可能に嵌合される上下一対の嵌合部５１Ａが固定されている。
この嵌合部５１Ａの固定は、第１仕切板２１の上下端縁部分に固定（ねじ止め）された固定部材５５を介して行われ、嵌合部５１Ａは、この固定部材５５において第１仕切板２１の上下端縁よりも外側に固定（ねじ止め）されている。これは、上下の嵌合部５１Ａ同士の間隔を、本体部１０に固定された第１レール５１同士の間隔に対応させるためである。
【００２６】
また、上下の嵌合部５１Ａは、第１レール５１と略同じ長さの長尺形状であり、上下の固定部材５５には、それぞれ、本体部１０の上下の枠体１１、１２に固定された上下の第１レール５１に向くように設けられている。
【００２７】
また、第１レール５１は、嵌合部５１Ａを摺動自在に嵌合するための溝が、第１仕切板２１側を向くように、本体部１０の上下の枠体１１、１２に固定されている。
このため、第１レール５１と嵌合部５２Ａは、本体部１０の上下の枠体１１、１２と、
第１仕切板２１の上下に設けられた固定部材５５との間に配置されることになる。
【００２８】
また更に、上下の嵌合部５１Ａの引き出し側先端部分には、嵌合部５１Ａ及び固定部材５５の先端を覆うことで第１仕切板２１の上下の角部を保護し、更に、第１仕切板２１が収納位置にあるときには第１レール５１の先端部分を覆う、合成樹脂製の保護カバー５６が設けられている。
【００２９】
次に、第２レール５２は、第１仕切板２１の第１レール５１とは反対側の板面の上端及び下端にそれぞれ設けられており、第２仕切板２２の第１仕切板２１との対向面には、第２レール５２に摺動可能に嵌合される上下一対の嵌合部５２Ａが固定されている。
【００３０】
また、第２仕切板２２において、嵌合部５２Ａとは反対側の板面の上方及び下方には、それぞれ、板面端部の嵌合部５２Ａよりも内側に位置するように、第３レール５３が固定されている。
【００３１】
そして、第３仕切板２３の第２仕切板２２との対向面には、第３レール５３に摺動可能に嵌合される上下一対の嵌合部５３Ａが固定されている。第３仕切板２３は、第２仕切板２２よりも上下方向の長さが短くなっており、嵌合部５３Ａは、第３仕切板２３の板面の上下端部に固定されている。
【００３２】
つまり、本実施形態では、第１レール５１同士の間隔、第２レール５２同士の間隔、及び、第３レール５３同士の間隔は、第１レール５１同士の間隔が最も長く、第３レール５３同士の間隔が最も短くなっている。また、これに対応して、固定部材５５を含む第１仕切板２１の上下方向の長さが最も長く、第３仕切板２３の上下方向の長さが最も短くなっている。
【００３３】
この結果、各仕切板２１〜２３の上下方向の長さを一致させて、スライド用のレールを設けた場合に比べて、仕切部２０全体の大きさを小さくすることができる。
また、嵌合部５２Ａ、５３Ａは、嵌合部５１Ａと同様、対応する第２レール５２、第３レール５３と略同じ長さを有する長尺形状になっている。
【００３４】
そして、上下の嵌合部５２Ａ、５３Ａの引き出し側先端部分には、それぞれ、嵌合部５２Ａ、５３Ａの先端を覆うことで、第２仕切板２２、第３仕切板２３の上下の角部を保護し、第２仕切板２２、第３仕切板２３が収納位置にあるときには第２レール５２、第３レール５３の先端部分を覆う、合成樹脂製の保護カバー５７、５８が設けられている。
【００３５】
このため、仕切部２０を本体部１０に収納した際には、図１Ａに示すように、本体部１０の前面側で、仕切部２０の上端側及び下端側にて、保護カバー５６、５７、５８が外側から順に配置されることになる。
【００３６】
この結果、仕切部２０が収納状態にあるとき、仕切部２０が引き出される本体部１０の開口が保護カバー５６、５７、５８で覆われ、本体部１０の開口部分も保護されることになる。
【００３７】
次に、前面パネル３０は、本体部１０を構成する上下の枠体１１、１２の前方側に、本体部１０の前面を塞ぐように取り付けられる。
前面パネル３０には、仕切部２０、シートホルダ４１、ドリンクホルダ４３、接続コネクタ４５等の、本体部１０への収容物に対応した取付孔（換言すれば開口）が形成されている。
【００３８】
また、前面パネル３０の上下端部には、隣接する遊技機の間に固定するための固定金具３２（図４参照）にねじ止めするための固定孔（長孔）も設けられている。
また、仕切部２０を本体部１０から引き出した際に本体部１０側に配置される第１仕切板２１の後方端部には、板状の目隠し部材２７が設けられている。
【００３９】
この目隠し部材２７は、第２仕切板２２及び第３仕切板２３が本体部１０の外に引き出されることによって開放される前面パネル３０の開口を閉じて、その開口から本体部１０内に遊技球等の異物が入り込むのを防止するためのものである。
【００４０】
また、このように目隠し部材２７が設けられていても、本体部１０内には、前面パネル３０に設けられた取付孔にて形成される開口から、遊技球等の異物が入り込むことがある。
【００４１】
そして、本体部１０内に異物が入り込むと、仕切部２０を本体部１０に収納する際の邪魔になり、仕切部を本体部に上手く収納できないことがあるため、本体部１０の後方下端部には、本体部１０に入り込んだ異物を排出するための排出口１５が設けられている。
【００４２】
図４に示すように、この排出口１５は、本体部１０を構成する下方の枠体１２と後方の枠体１３とが連結される角部で、第１レール５１が固定される側とは反対側（つまり、側壁部１４側）に設けられている。
【００４３】
この結果、本実施形態の間柱１においては、本体部１０内に遊技球等の異物が入り込んだとしても、その異物を排出口１５から排出させて、遊技機の後方に配置される遊技球の搬送路に導くことができるようになる。
【００４４】
また、排出口１５は、後方の枠体１３の下方端部において、側壁部１４側に設けられることから、排出口１５を設けることによって、本体部１０の強度が低下するのを抑制できる。
【００４５】
また、仕切部２０は、下方の枠体１２に設けられた第１レール５１を介して、本体部１０内に収納されることから、異物は、仕切部２０の収納時の移動に伴い、第１レール５１に沿って本体部１０の後方へ移動し、排出口１５からより確実に排出されることになる。
【００４６】
また、図４に示すように、本体部１０の側壁部１４には、仕切部２０が本体部１０から引き出された状態で、目隠し部材２７に係合して、仕切部２０の収納方向への移動を阻止する収納抵抗部６０が上下方向に複数（本実施形態では２個）設けられている。この収納抵抗部６０は、例えば、板ばねにて構成されており、仕切部２０を本体部１０から引き出した状態で、仕切部２０が遊技機の振動等で本体部１０側に移動するのを防止できる。
【００４７】
一方、図５に示すように、本体部１０の後方の枠体１３には、仕切部２０が本体部１０内に収納された状態で、目隠し部材２７が当接されて、仕切部２０が引き出し方向に移動するのを阻止する引出抵抗部６２が設けられている。
【００４８】
この引出抵抗部６２は、例えば、磁石にて構成されており、磁力にて目隠し部材２７を吸引することで、仕切部２０の引き出し方向への変位に対する抵抗を発生させる。なお、仕切部２０が本体部１０内に収納されているとき、収納抵抗部６０が第３仕切板２３に設けた係合部材に係合するように構成すれば、収納抵抗部６０を、引出抵抗部としても機能させることができる。
【００４９】
次に、シートホルダ４１及びドリンクホルダ４３は、接続コネクタ４５と同様に、前面
パネル３０の取付孔に固定されるが、各ホルダ４１、４３は、接続コネクタ４５に比べて奥行き方向の長さが長い。
【００５０】
このため、接続コネクタ４５のように単に前面パネル３０に固定しただけでは、本体部１０内で、各ホルダ４１、４３が仕切部２０の収納空間に侵入し、仕切部２０の引き出し時や収納時に邪魔になることが考えられる。
【００５１】
そこで、本実施形態では、本体部１０の後方の枠体１３に、シートホルダ４１及びドリンクホルダ４３の後方端部を位置決めして、これら各ホルダ４１、４３が仕切部２０の収納空間内に変位するのを阻止する位置決め部１７が設けられている。
【００５２】
図５に示すように、この位置決め部１７は、枠体１３の上下方向の２箇所に設けられている。具体的には、２つの位置決め部１７は、枠体１３の側壁部１４とは反対側を屈曲させることで、これら各ホルダ４１、４３の後方端面、及び、側壁部１４との対向面に当接される断面Ｌ字上の板体として構成されている。
【００５３】
そして、位置決め部１７の枠体１３とは反対側の端縁部分は、仕切部２０の収納空間（換言すれば、側壁部１４）から離れる方向に曲げられ、湾曲又は屈曲している。
このため、位置決め部１７は、各ホルダ４１、４３の後方端面及び側壁部１４との対向面に当接されて、各ホルダ４１が仕切部２０の収納空間側及び後方側に変位するのを防止できるだけでなく、収納時に仕切部２０を収納空間へ案内することができる。
【００５４】
以上説明したように、本実施形態の間柱１においては、本体部１０に対する被収納部であるシートホルダ４１及びドリンクホルダ４３の後方端部を位置決めする位置決め部１７が備えられている。
【００５５】
このため、本実施形態の間柱１においては、シートホルダ４１やドリンクホルダ４３等の被収納部が仕切部２０の収納空間内に入り込み、仕切部２０の引き出し時や収納時に、これらの被収納部が邪魔になることはない。よって、仕切部２０の引き出し、収納を良好に実施することができる。
【００５６】
また、位置決め部１７は、シートホルダ４１及びドリンクホルダ４３の後端面に当接されて、各ホルダ４１、４３が収納方向に変位するのを阻止することができる。このため、シートホルダ４１やドリンクホルダ４３に、各種案内用のシートや載置ユニットを挿入する際、ホルダ４１、４３が動いて、これらの部材を挿入し難くなるのを防止できる。
【００５７】
また、位置決め部１７は、本体部１０の後方の枠体１３に一体形成されているので、位置決め部１７を本体部１０に組み付ける作業が不要になり、しかも、本体部１０に対し位置決め部１７がずれることがないので、シートホルダ４１やドリンクホルダ４３等の被収納部をしっかりと位置決めできる。
【００５８】
以上、本開示の一実施形態について説明したが、本開示は上記実施形態に限定されるものではなく、種々の形態をとり得ることはいうまでもない。
例えば、上記実施形態では、位置決め部１７は、本体部１０の枠体１３の上下方向の２箇所に設けられるものとして説明したが、図６に示すように、枠体１３の上下方向の略全域に一つ設けるようにしてもよく、或いは、３個以上分散して設けるようにしてもよい。
【００５９】
また、位置決め部１７は、必ずしも、本体部１０の後方の枠体１３に設ける必要はなく、上方又は下方の枠体に設けるようにしてもよい。また、位置決め部１７は、本体部１０とは別体で構成して、必要に応じて、本体部１０の所望の位置に固定するように構成して
もよい。
【００６０】
また、上記実施形態では、被収納部として、シートホルダ４１とドリンクホルダ４３を例にとり説明したが、位置決め部１７は、仕切部２０とは別に本体部１０内に収納される被収納部が本体部２０の収納空間内に入り込むのを防止できればよいので、位置決め対象となる被収納部は、シートホルダ４１やドリンクホルダ４３に限定されるものではない。
【００６１】
また、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００６２】
１…間柱、１０…本体部、１１，１２，１３…枠体、１４…側壁部、１５…排出口、１７…位置決め部、２０…仕切部、２１…第１仕切板、２２…第２仕切板、２３…第３仕切板、２５…取っ手、２７…目隠し部材、３０…前面パネル、４１…シートホルダ、４３…ドリンクホルダ、４５…接続コネクタ、５１…第１レール、５１Ａ…嵌合部、５２…第２レール、５２Ａ…嵌合部、５３…第３レール、５３Ａ…嵌合部、５５…固定部材、５６，５７，５８…保護カバー、６０…収納抵抗部、６２…引出抵抗部。
【図１】
2018068736.tif 000003
【図２】
2018068736.tif 000004
【図３】
2018068736.tif 000005
【図４】
2018068736.tif 000006
【図５】
2018068736.tif 000007
【図６】
2018068736.tif 000008